(57)【要約】【課題】食事の内容に応じて、ユーザの嗜好に適したコンテンツを推薦する。【解決手段】あるユーザ及び１又は複数の他のユーザの少なくとも何れかの調理に関連する情報である調理関連情報を通信部（３１）を介して取得し、取得した上記調理関連情報を参照して、上記あるユーザに対して通信部（５１）を介して提供するコンテンツを選択する。【選択図】図１
2020042647.tif 000002
【特許請求の範囲】
【請求項１】
通信部と、制御部と、を備えた情報処理装置において、
上記制御部は、
あるユーザ及び１又は複数の他のユーザの少なくとも何れかの調理に関連する情報である調理関連情報を上記通信部を介して取得し、
取得した上記調理関連情報を参照して、上記あるユーザに対して上記通信部を介して提供するコンテンツを選択する
ことを特徴とする情報処理装置。
【請求項２】
上記制御部によるコンテンツの選択には、映像の選択、及び音楽の選択の少なくとも何れかが含まれる
ことを特徴とする請求項１に記載の情報処理装置。
【請求項３】
上記制御部によるコンテンツの選択には、照明の調整が含まれる
ことを特徴とする請求項１又は２に記載の情報処理装置。
【請求項４】
上記制御部は、
上記調理関連情報に含まれる食材情報を参照して、上記あるユーザに対して提供するコンテンツを選択する
ことを特徴とする請求項１から３の何れか１項に記載の情報処理装置。
【請求項５】
上記制御部は、
上記調理関連情報に含まれる地域情報を参照して、上記あるユーザに対して提供するコンテンツを選択する
ことを特徴とする請求項１から４の何れか１項に記載の情報処理装置。
【請求項６】
上記制御部は、
上記調理関連情報に含まれる料理名および料理のジャンルの少なくとも何れかを参照して、上記あるユーザに対して提供するコンテンツを選択する
ことを特徴とする請求項１から５の何れか１項に記載の情報処理装置。
【請求項７】
上記制御部は、
取得した上記調理関連情報に対して統計的処理を施し、
上記統計的処理を施した調理関連情報を参照して、上記あるユーザに対して提供するコンテンツを選択する
ことを特徴とする請求項１から６の何れか１項に記載の情報処理装置。
【請求項８】
食材を調理する調理部を更に備えていることを特徴とする請求項１から７の何れか１項に記載の情報処理装置。
【請求項９】
端末装置と情報処理装置とを含む情報処理システムであって、
上記端末装置は、
上記情報処理装置に対して、あるユーザ及び１又は複数の他のユーザの少なくとも何れかの調理に関連する情報である調理関連情報を送信し、
上記情報処理装置は、
上記調理関連情報を取得し、
取得した上記調理関連情報を参照して、上記あるユーザに対して提供するコンテンツを選択する
ことを特徴とする情報処理システム。
【請求項１０】
あるユーザ及び１又は複数の他のユーザの少なくとも何れかの調理に関連する情報である調理関連情報を参照して、上記あるユーザに対して提供するコンテンツを選択する
ことを特徴とする情報処理方法。
【請求項１１】
請求項１に記載の情報処理装置としてコンピュータを機能させるためのプログラムであって、上記制御部としてコンピュータを機能させるためのプログラム。
【発明の詳細な説明】
【技術分野】
【０００１】
本発明は、情報処理装置、情報処理システム、情報処理方法、およびプログラムに関する。
【背景技術】
【０００２】
従来、ユーザの行動の内容と、行動時間と、に基づいて、配信される複数の番組の中から、ユーザの現在又は将来の嗜好又は生活習慣に適応した番組推薦を行う技術が知られている（例えば、特許文献１参照）。
【先行技術文献】
【特許文献】
【０００３】
【特許文献１】特開２００８−１１８４０８号公報
【発明の概要】
【発明が解決しようとする課題】
【０００４】
しかしながら、食事中や食後の団欒中のユーザの嗜好は、食事の内容により左右される場合がある。従って、食事の内容に応じて、ユーザの嗜好に適したコンテンツを推薦することができる技術に対する要望があった。
【０００５】
本発明の一態様は、上述した事情に鑑みてなされてものであり、食事の内容に応じて、ユーザの嗜好に適したコンテンツを推薦する技術を実現することを目的とする。
【課題を解決するための手段】
【０００６】
上記の課題を解決するために、本発明の一態様に係る情報処理装置は、通信部と、制御部と、を備えた情報処理装置において、上記制御部は、あるユーザ及び１又は複数の他のユーザの少なくとも何れかの調理に関連する情報である調理関連情報を上記通信部を介して取得し、取得した上記調理関連情報を参照して、上記あるユーザに対して上記通信部を介して提供するコンテンツを選択する構成である。
【０００７】
また、上記の課題を解決するために、本発明の一態様に係る情報処理システムは、端末装置と情報処理装置とを含む情報処理システムであって、上記端末装置は、上記情報処理装置に対して、あるユーザ及び１又は複数の他のユーザの少なくとも何れかの調理に関連する情報である調理関連情報を送信し、上記情報処理装置は、上記調理関連情報を取得し、取得した上記調理関連情報を参照して、上記あるユーザに対して提供するコンテンツを選択する構成である。
【０００８】
また、上記の課題を解決するために、本発明の一態様に係る情報処理方法は、あるユーザ及び１又は複数の他のユーザの少なくとも何れかの調理に関連する情報である調理関連情報を参照して、上記あるユーザに対して提供するコンテンツを選択する方法である。
【発明の効果】
【０００９】
本発明の一態様によれば、食事の内容に応じて、ユーザの嗜好に適したコンテンツを推薦することができる。
【図面の簡単な説明】
【００１０】
【図１】情報処理システムの要部構成を示すブロック図である。
【図２】情報処理システムの処理の流れを示すシーケンス図である。
【図３】（ａ）は、調理履歴テーブルの一例を示し、（ｂ）は、コンテンツ関連情報テーブルの一例を示し、（ｃ）は、コンテンツテーブルの一例を示している。
【図４】（ａ）は、調理履歴テーブルの一例を示し、（ｂ）は、対応テーブルの一例を示し、（ｃ）は、コンテンツ関連情報テーブルの一例を示している。
【図５】コンテンツテーブルの一例を示している。
【図６】（ａ）は、キーワードテーブルの一例を示し、（ｂ）は、コンテンツ関連情報テーブルの一例を示している。
【図７】機器管理サーバ、およびコンテンツサーバとして利用可能なコンピュータの構成を例示したブロック図である。
【発明を実施するための形態】
【００１１】
〔実施形態１〕
以下、本発明の実施形態１に係る情報処理システム１について、詳細に説明する。なお、以下の実施形態に記載されている構成は、特に特定的な記載がない限り、この発明の範囲をそれのみに限定する趣旨ではなく、単なる説明例に過ぎない。図１は、情報処理システム１の要部構成を示すブロック図である。
【００１２】
情報処理システム１は、調理機器１０と、機器管理サーバ３０と、コンテンツサーバ５０と、コンテンツ視聴機器７０とを含んでいる。なお、情報処理システム１は、調理機器１０、機器管理サーバ３０、コンテンツサーバ５０、およびコンテンツ視聴機器７０をそれぞれ１つまたは複数含んでいる構成であってもよい。情報処理システム１では、調理機器１０と、機器管理サーバ３０とが、機器管理サーバ３０と、コンテンツサーバ５０とが、また、コンテンツサーバ５０と、コンテンツ視聴機器７０とがネットワークを介した通信により互いに通信可能に構成されている。
【００１３】
また、調理機器１０と、コンテンツ視聴機器７０とは、近距離無線通信により互いに通信可能に接続されていてもよい。調理機器１０と、コンテンツ視聴機器７０とは、例えばＢｌｕｅｔｏｏｔｈ（登録商標）やＡＮＴなどで接続されていてもよく、ルータを介したＷｉ−Ｆｉ（登録商標）通信などで接続されていてもよい。また、調理機器１０と、コンテンツ視聴機器７０とは、一体であってもよい。
【００１４】
機器管理サーバ３０と、コンテンツサーバ５０と、は同一のサーバであってもよく、本実施形態では、機器管理サーバ３０と、コンテンツサーバ５０と、を合わせて情報処理装置１００とも称する。
【００１５】
情報処理装置１００は、調理機器１０における調理履歴を参照して、調理に関連する情報である調理関連情報に基づいてユーザに対して提供するコンテンツを選択する。情報処理装置１００は、複数の調理機器１０から調理履歴を取得してもよく、あるユーザ及び１又は複数の他のユーザの少なくとも何れかの調理に関連する情報である調理関連情報を参照して、あるユーザに対して提供するコンテンツを選択することができてもよい。ユーザ及び１又は複数の他のユーザの少なくとも何れかの調理に関連する情報である調理関連情報は、ユーザ及び１又は複数の他のユーザの、例えばスマートフォン等の携帯端末に記憶されており、当該携帯端末から情報処理装置１００に送信されてもよい。調理機器１０、及び携帯端末等の情報処理装置１００に調理関連情報を送信する装置を端末装置を称する。情報処理装置１００は、調理関連情報を参照して選択したコンテンツをコンテンツ視聴機器７０に送信し、再生させる。
【００１６】
（調理機器１０の構成）
調理機器１０は、通信部１１、表示部１２、入力部１３、調理部１４、記憶部１５、および制御部２０を備えている。調理機器１０は、オーブンレンジや自動調理器である。調理機器１０は、食材を投入し、適宜の調理メニューを選択する操作を行うことで、料理を完成させることができる機能を備えていてもよい。
【００１７】
通信部１１は、機器管理サーバ３０との間でインターネット等のネットワークを介して通信する。
【００１８】
表示部１２は、例えば、液晶ディスプレイ、有機ＥＬ（Electro Luminescence）ディスプレイ（ＯＬＥＤ）、及びプラズマディスプレイ等のディスプレイデバイスである。
【００１９】
入力部１３は、例えば、操作ボタンや、タッチパネルなどに対するユーザ操作に応じた入力を受け付ける。
【００２０】
調理部１４は、調理部１４の内部に投入された食材を、制御部２０の制御に応じて、蒸す、焼く、炒める、揚げる等の調理方法によって調理する。調理部１４は、調理部１４の内部に投入された食材を、所定の調理出力、所定の調理温度、所定の調理時間で調理することができる。なお、本実施形態では、調理機器１０は、情報処理装置１００とは別体である構成について説明するが、これに限らず、情報処理装置１００が食材を調理する調理部１４を備えている構成であってもよい。
【００２１】
記憶部１５は、調理機器１０で用いられる種々のデータを格納するストレージである。記憶部１５は、例えば、内容の書き換えが可能な不揮発性メモリである、ＥＰＲＯＭ、ＥＥＰＲＯＭ（登録商標）、ＨＤＤ、フラッシュメモリなどのいずれか１つ、またはそれらの１つ以上の組み合わせによって実現される。
【００２２】
制御部２０は、調理機器１０の各部を統括的に制御する機能を備えている演算装置である。制御部２０は、例えば１つ以上のプロセッサ（例えばＣＰＵなど）が、１つ以上のメモリ（例えばＲＡＭやＲＯＭなど）に記憶されているプログラムを実行することで調理機器１０の各部を制御する。
【００２３】
（制御部２０の構成）
制御部２０は、調理制御部２１と、調理履歴送信部２２と、を備えている。
【００２４】
調理制御部２１は、入力部１３を介して入力されるユーザ操作に応じて、調理部１４を制御する。調理制御部２１は、ユーザ操作によって選択されたメニューに応じて、調理部１４における調理方法、調理温度、調理時間等を制御する。また、調理制御部２１は、調理履歴１６を記憶部１５に記憶する。
【００２５】
調理履歴送信部２２は、記憶部１５に記憶された調理履歴１６を通信部１１を介して機器管理サーバ３０に送信する。調理履歴送信部２２は、記憶部１５に記憶された調理履歴１６の中から、最新のものを、当該調理の完了時に機器管理サーバ３０に送信してもよい。
【００２６】
（機器管理サーバ３０の構成）
機器管理サーバ３０は、通信部３１、記憶部３２、管理サーバ制御部４０を含んでいる。なお、本実施形態では、情報処理システム１は、１つの機器管理サーバ３０を備える場合を例に挙げて説明するが、本発明はこれに限定されるものではい。例えば、機器管理サーバ３０は複数のサーバにより構成されていてもよいし、複数のサーバが共同で下記機能を実行するための処理を行っている構成であってもよい。
【００２７】
機器管理サーバ３０は、複数の調理機器１０に係る情報を管理するサーバである。機器管理サーバ３０は、各調理機器１０に特有の機器ＩＤや、各調理機器１０の種類やモデルを示す機器情報、および各調理機器１０のユーザを特定するためのユーザＩＤ等の情報を管理している。また、機器管理サーバ３０は、各調理機器１０で実行可能な各操作を示す操作ＩＤと、各操作ＩＤに応じた調理に関連する情報である調理関連情報を管理している。
【００２８】
通信部３１は、例えばインターネットなどのネットワークを介して、１又は複数の調理機器１０と通信する。
【００２９】
記憶部３２は、機器管理サーバ３０で用いられる種々のデータを格納するストレージである。記憶部３２は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。記憶部３２には、機器管理サーバ３０によって管理される各調理機器１０で実行可能な調理に関連する情報である調理関連情報３３が記憶されている。
【００３０】
管理サーバ制御部４０は、機器管理サーバ３０の各部を統括的に制御する機能を備えている演算装置である。管理サーバ制御部４０は、例えば１つ以上のプロセッサ（例えばＣＰＵなど）が、１つ以上のメモリ（例えばＲＡＭやＲＯＭなど）に記憶されているプログラムを実行することで機器管理サーバ３０の各構成要素を制御する。
【００３１】
（管理サーバ制御部４０の構成について）
管理サーバ制御部４０は、調理履歴受信部４１と、調理関連情報送信部４２と、を備えている。
【００３２】
調理履歴受信部４１は、通信部３１を介して複数の調理機器１０から調理履歴１６を受信する。
【００３３】
調理関連情報送信部４２は、調理履歴受信部４１によって受信した、ある調理機器１０及び１又は複数の他の調理機器１０の少なくとも何れかの調理履歴を参照して、当該調理履歴の調理に関連する情報である調理関連情報を記憶部３２から抽出する。調理関連情報送信部４２は、記憶部３２から抽出した調理関連情報を通信部３１を介してコンテンツサーバ５０に送信する。
【００３４】
なお、管理サーバ制御部４０は、ある調理機器１０及び１又は複数の他の調理機器１０から取得した調理履歴に基づいて、調理関連情報に対して統計的処理を施して、統計的処理を施した調理関連情報を記憶部３２に記憶する構成であってもよい。そして、管理サーバ制御部４０は、統計的処理を施した調理関連情報をコンテンツサーバ５０に送信してもよい。
【００３５】
（コンテンツサーバ５０の構成）
コンテンツサーバ５０は、通信部５１、記憶部５２、および、コンテンツサーバ制御部６０を含んでいる。コンテンツサーバ５０は、複数のコンテンツを管理するサーバであり、機器管理サーバ３０から提供される調理関連情報を参照して、対象の調理機器に関連付けられたユーザに対して、提供するコンテンツを選択し、選択したコンテンツを、対象のコンテンツ視聴機器７０に送信する。
【００３６】
通信部５１は、例えばインターネットなどのネットワークを介して、機器管理サーバ３０と通信する。また、通信部５１は、例えばインターネットなどのネットワークを介して、１又は複数のコンテンツ視聴機器７０と通信する。
【００３７】
記憶部５２は、コンテンツサーバ５０で用いられる種々のデータを格納するストレージである。記憶部５２は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。記憶部５２には、複数のコンテンツ５３が記憶されている。
【００３８】
コンテンツサーバ制御部６０は、コンテンツサーバ５０の各部を統括的に制御する機能を備えている演算装置である。コンテンツサーバ制御部６０は、例えば１つ以上のプロセッサ（例えばＣＰＵなど）が、１つ以上のメモリ（例えばＲＡＭやＲＯＭなど）に記憶されているプログラムを実行することでコンテンツサーバ５０の各構成要素を制御する。
【００３９】
（コンテンツサーバ制御部６０の構成について）
コンテンツサーバ制御部６０は、調理関連情報受信部６１、コンテンツ選択部６２、およびコンテンツ送信部６３を備えている。
【００４０】
調理関連情報受信部６１は、通信部５１を介して、機器管理サーバ３０が送信した調理関連情報を受信する。
【００４１】
コンテンツ選択部６２は、調理関連情報受信部６１が受信した調理関連情報を参照して、対象のユーザに対象して提供するコンテンツを記憶部５２に記憶されている複数のコンテンツ５３から選択する。コンテンツ選択部６２は、あるユーザ及び１又は複数の他のユーザの少なくとも何れかの調理に関連する情報である調理関連情報を参照して、あるユーザに対して提供するコンテンツを選択してもよい。また、コンテンツ選択部６２は、機器管理サーバ３０の管理サーバ制御部４０が、統計的処理を施した調理関連情報を参照して、あるユーザに対して提供するコンテンツを選択する構成であってもよい。
【００４２】
コンテンツ送信部６３は、コンテンツ選択部６２が選択したコンテンツを、通信部５１を介してコンテンツ視聴機器７０に送信する。
【００４３】
（コンテンツ視聴機器７０の構成について）
コンテンツ視聴機器７０は、通信部７１、表示部７２、音声出力部７３、記憶部７４、および視聴機器制御部８０を含んでいる。コンテンツ視聴機器７０は、表示部７２による画像コンテンツの再生と、音声出力部７３による音声コンテンツの再生との少なくとも何れかを行うことができる機器である。コンテンツ視聴機器７０は、例えば、スマートフォン、ディスプレイ装置、スピーカ等であってもよい。また、調理機器１０が、コンテンツ視聴機器７０の機能を一体に備えている構成であってもよい。
【００４４】
通信部７１は、例えばインターネットなどのネットワークを介して、コンテンツサーバ５０と通信する。なお、通信部７１は、Ｂｌｕｅｔｏｏｔｈ（登録商標）やＡＮＴ、ルータを介したＷｉ−Ｆｉ（登録商標）通信などを介して調理機器１０と通信可能であってもよい。
【００４５】
表示部７２は、例えば、液晶ディスプレイ、有機ＥＬ（Electro Luminescence）ディスプレイ（ＯＬＥＤ）、及びプラズマディスプレイ等のディスプレイデバイスである。表示部７２は、再生したコンテンツの画像を出力する。
【００４６】
音声出力部７３は、スピーカを備え、再生したコンテンツの音声を出力する。
【００４７】
記憶部７４は、コンテンツ視聴機器７０で用いられる種々のデータを格納するストレージである。記憶部７４は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。記憶部７４には、コンテンツサーバ５０から受信したコンテンツが記憶されてもよい。
【００４８】
視聴機器制御部８０は、コンテンツ視聴機器７０の各部を統括的に制御する機能を備えている演算装置である。視聴機器制御部８０は、例えば１つ以上のプロセッサ（例えばＣＰＵなど）が、１つ以上のメモリ（例えばＲＡＭやＲＯＭなど）に記憶されているプログラムを実行することでコンテンツ視聴機器７０の各構成要素を制御する。
【００４９】
（視聴機器制御部８０の構成について）
視聴機器制御部８０は、コンテンツ受信部８１と、コンテンツ再生部８２と、を備えている。
【００５０】
コンテンツ受信部８１は、通信部７１を介してコンテンツサーバ５０が送信したコンテンツを受信する。
【００５１】
コンテンツ再生部８２は、コンテンツ受信部８１が通信部７１を介してコンテンツサーバ５０から受信したコンテンツを再生し、表示部７２、および音声出力部７３の少なくとも何れか一方から出力することにより、コンテンツサーバ５０から提供されたコンテンツをユーザに提示する。
【００５２】
（情報処理システム１の処理の流れについて）
図２は、情報処理システム１の処理の流れを示すシーケンス図である。
【００５３】
（ステップＳ１）
調理機器１０の制御部２０は、調理制御部２１の機能より、ユーザ操作に応じて調理を実行する。
【００５４】
（ステップＳ２）
調理機器１０の制御部２０は、調理制御部２１が調理を終了すると、調理履歴送信部２２の機能により、終了した調理に関する調理履歴を送信する。調理機器１０の制御部２０は、調理履歴送信部２２の機能により、直前に終了した調理に関する調理履歴のみを送信する構成であってもよいし、記憶部１５に記憶されている調理履歴１６のリストを送信してもよい。
【００５５】
（ステップＳ３）
機器管理サーバ３０のサーバ制御部４０は、調理履歴受信部４１の機能により通信部３１を介して、調理機器１０が送信した調理履歴を受信する。
【００５６】
（ステップＳ４）
サーバ制御部４０は、受信した調理履歴を参照して、当該調理に関連する調理関連情報を記憶部３２に記憶された情報から抽出する。
【００５７】
（ステップＳ５）
管理サーバ制御部４０は、抽出した調理関連情報を調理関連情報送信部４２の機能により、通信部３１を介して送信する。
【００５８】
（ステップＳ６）
コンテンツサーバ５０のコンテンツサーバ制御部６０は、調理関連情報受信部６１の機能により、通信部５１を介して、機器管理サーバ３０が送信した調理関連情報を受信する。
【００５９】
（ステップＳ７）
コンテンツサーバ５０のコンテンツサーバ制御部６０は、コンテンツ選択部６２の機能により、調理関連情報受信部６１が受信した調理関連情報を参照して、ユーザに対して提供するコンテンツを選択する。
【００６０】
（ステップＳ８）
コンテンツサーバ５０のコンテンツサーバ制御部６０は、コンテンツ送信部６３の機能により、コンテンツ選択部６２が選択したコンテンツを、通信部５１を介して送信する。
【００６１】
（ステップＳ９）
コンテンツ視聴機器７０の視聴機器制御部８０は、コンテンツ受信部８１の機能により、通信部７１を介して、コンテンツサーバ５０が送信したコンテンツを受信する。
【００６２】
（ステップＳ１０）
視聴機器制御部８０は、コンテンツ再生部８２の機能により、コンテンツ受信部８１が受信したコンテンツを再生して、表示部７２、および音声出力部７３の少なくとも何れか一方から出力する。
【００６３】
なお、上記の説明では、コンテンツサーバ制御部６０のコンテンツ選択部６２は、調理機器１０の調理履歴に基づく調理関連情報を参照して、コンテンツを選択する構成について説明したが、これに限られるものではない。コンテンツサーバ制御部６０のコンテンツ選択部６２は、調理関連情報とともに、対象のコンテンツ視聴機器７０における視聴履歴を参照して、ユーザに対して提供するコンテンツを選択することができてもよい。
【００６４】
また、コンテンツサーバ５０のコンテンツサーバ制御部６０は、コンテンツ選択部６２の機能により選択したコンテンツのデータをコンテンツ視聴機器７０に送信する構成に限らず、選択したコンテンツをリコメンドする情報をコンテンツ視聴機器７０に送信する構成であってもよい。コンテンツ視聴機器７０は、コンテンツサーバ５０から受信したリコメンド情報を参照して、再生するコンテンツを、不図示のチューナを介して受信したり、インターネット等のネットワークを介して受信したりすることができてもよい。
【００６５】
また、調理機器１０が、コンテンツ視聴機器７０の機能の少なくとも一部を備え、Ｂｌｕｅｔｏｏｔｈ（登録商標）やＡＮＴ、ルータを介したＷｉ−Ｆｉ（登録商標）通信などで接続された外部の表示装置やスピーカからコンテンツを出力する構成であってもよい。
【００６６】
また、コンテンツサーバ制御部６０のコンテンツ選択部６２は、通信部５１を介してあるユーザに関連付けられたコンテンツ視聴機器７０に対して提供するコンテンツを、当該あるユーザの調理に関連する調理関連情報に限らず、１又は複数の他のユーザの調理に関連する調理関連情報を参照して、選択してもよい。このように、コンテンツ選択部６２は、あるユーザ及び１又は複数の他のユーザの少なくとも何れかの調理に関連する情報である調理関連情報を参照して、あるユーザに通信部５１を介して提供するコンテンツを選択することで、例えば、母親（他のユーザ）の調理関連情報を参照して、娘（あるユーザ）に提供するコンテンツを選択することができてもよい。
【００６７】
あるユーザと、１又は複数の他のユーザとの関係を示す関係情報が、機器管理サーバ３０に予め記憶されていてもよく、機器管理サーバ３０の管理サーバ制御部４０は、関係情報を含む調理関連情報をコンテンツサーバ５０に送信してもよい。
【００６８】
（調理履歴と、提供されるコンテンツとの関係について）
以下に、調理履歴を参照してコンテンツを選択するさいのコンテンツサーバ制御部６０の動作について説明する。
【００６９】
図３の（ａ）は、調理履歴に関する情報を含む調理履歴テーブルの一例を示している。図３の（ｂ）は、コンテンツサーバ５０の記憶部５２に記憶されているコンテンツ５３に関連する情報を含むコンテンツ関連情報テーブルの一例を示している。図３の（ｃ）は、コンテンツサーバ５０から送信されるコンテンツの情報を含むコンテンツテーブルの一例を示している。
【００７０】
図３の（ａ）に示すように、調理履歴には、調理完了時刻、ユーザＩＤ、機器ＩＤ、および操作ＩＤ等の情報が含まれている。調理完了時刻は調理機器１０において、対象の調理が完了した時刻に関する情報である。ユーザＩＤは、調理機器１０のユーザを特定するための情報である。機器ＩＤは、調理機器１０を識別するための情報であり、各調理機器１０に固有のＩＤである。機器ＩＤは、例えば、調理機器１０から受信した調理履歴に含まれる情報であり、機器管理サーバ３０には、予め、ユーザＩＤと、機器ＩＤとが関連付けて記憶されていてもよい。
【００７１】
操作ＩＤは、調理機器１０で実行された調理を特定するための情報である。操作ＩＤは、レンジ、グリル、オーブン、自動メニュー等の調理種別や、レンジ２００Ｗ、レンジ５００Ｗ、レンジ６００Ｗ等の各調理種別における出力、温度、調理時間などのユーザが調理機器１０に対する操作で選択可能な調理モード毎に個別なＩＤである。
【００７２】
図３（ｂ）に示すように、コンテンツサーバ５０の記憶部５２には、操作ＩＤ、コンテンツカテゴリ、コンテンツＩＤ、および名称等の情報をそれぞれ含む複数のコンテンツ５３が記憶されている。各コンテンツは、操作ＩＤに関連付けて記憶されている。コンテンツカテゴリは、コンテンツの種別を示す情報であり、コンテンツには、映像、音楽、および照明の色や明るさの調整が含まれている。コンテンツＩＤは、各コンテンツに個別のＩＤであり、各コンテンツの名称に関連付けられている。
【００７３】
図３の（ｃ）は、ユーザに提供されるコンテンツに関する情報を含むテーブルの例を示している。機器管理サーバ３０の管理サーバ制御部４０は、調理機器１０から受信した調理履歴に基づいて、あるユーザ及び１又は複数の他のユーザの少なくとも何れかの調理に関連する情報である調理関連情報を生成する。管理サーバ制御部４０は、生成した調理関連情報を、調理関連情報送信部４２の機能により、コンテンツサーバ５０に送信する。なお、機器管理サーバ３０からコンテンツサーバ５０に送信される調理関連情報は、図３の（ａ）に示した調理履歴と同様の内容のものであってもよい。
【００７４】
コンテンツサーバ５０のコンテンツサーバ制御部６０は、コンテンツ選択部６２の機能により、図３の（ａ）に示した調理関連情報を参照して、図３の（ｂ）に示したコンテンツの中から、ユーザに提供するコンテンツを、操作ＩＤに応じて選択する。コンテンツ選択部６２によるコンテンツの選択には、映像の選択、及び音楽の選択の少なくとも何れかが含まれる。また、コンテンツ選択部６２によるコンテンツの選択には、照明の調整が含まれてもよい。このように、コンテンツ選択部６２は、調理関連情報を参照して、調理機器１０で実行された調理に応じたコンテンツを選択してユーザに提供する。なお、本実施形態において、映像とは、動画、静止画、及びスライドショー等を含む。
【００７５】
図３（ｃ）に示した例では、コンテンツ選択部６２は、操作ＩＤ「Ｍ−００００１」に関連付けられているコンテンツであるコンテンツＩＤ「Ｍ−０１−００００１」をユーザに提供するコンテンツとして選択している。
【００７６】
コンテンツ選択部６２によって選択されたコンテンツは、ユーザＩＤ、開始予定時刻、コンテンツカテゴリ、コンテンツＩＤ、および名称を含む情報とともに、ユーザに提供されてもよい。例えば、各コンテンツは、操作ＩＤ、又はコンテンツＩＤに応じて、調理完了時刻から、コンテンツの再生が開始されるまでの時間が決められている。そして、コンテンツ選択部６２は、選択したコンテンツの開始予定時刻を決定して、コンテンツを、開始予定時刻とともにユーザに提供する。
【００７７】
なお、図示は省略するが、コンテンツサーバ５０には、ユーザＩＤに関連付けて、コンテンツ視聴機器７０を特定する情報が予め記憶されていてもよい。そして、コンテンツサーバ５０は、ユーザＩＤに関連付けて記憶されているコンテンツ視聴機器７０に、選択したコンテンツを送信してもよい。また、コンテンツサーバ５０には、ユーザＩＤ関に連付けて、複数のコンテンツ視聴機器７０を特定するための情報が記憶されている構成であってもよい。このように、コンテンツを送信する対象のコンテンツ視聴機器７０が複数在る場合には、コンテンツサーバ５０は、ユーザにどのコンテンツ視聴機器７０にコンテンツを送信するかを確認するメッセージを送信し、ユーザが選択したコンテンツ視聴機器７０にコンテンツを送信する構成であってもよい。また、コンテンツサーバ５０は、複数のコンテンツ視聴機器７０の位置情報を参照して、コンテンツを送信するコンテンツ視聴機器７０を決定することができてもよい。
【００７８】
このように、情報処理装置１００は、ユーザ及び１又は複数の他のユーザの少なくとも何れかの調理に関連する情報である調理関連情報を取得し、取得した調理関連情報を参照して、あるユーザに対して提供するコンテンツを選択する。これにより、調理関連情報に基づいてユーザの食事の内容に応じた、ユーザの嗜好に適したコンテンツを推薦することができる。
【００７９】
〔実施形態２〕
本発明の実施形態２について、以下に説明する。なお、説明の便宜上、上記実施形態１にて説明した部材と同じ機能を有する部材については、同じ符号を付記し、その説明を繰り返さない。なお、実施形態２に係る情報処理システム１の構成については、図１を用いて説明した実施形態１の情報処理システム１と同様であり、その説明を省略する。
【００８０】
図４の（ａ）は、調理履歴に関する情報を含む調理履歴テーブルの一例を示している。なお、図４の（ａ）に示した調理履歴テーブルは、図３の（ａ）に示した調理履歴テーブルと同一であるため、説明を省略する。
【００８１】
図４の（ｂ）は、機器管理サーバ３０の記憶部３２に記憶されている、操作ＩＤと、メニューＩＤとの対応関係を示す情報を含む対応テーブルの一例を示している。図４の（ｃ）は、コンテンツサーバ５０の記憶部５２に記憶されているコンテンツ５３に関連する情報を含むコンテンツ関連情報テーブルの一例を示している。図５は、コンテンツサーバ５０から送信されるコンテンツの情報を含むコンテンツテーブルの一例を示している。
【００８２】
図４の（ｂ）に示すように、機器管理サーバ３０の記憶部３２には、操作ＩＤと、メニューＩＤとが互いに対応付けて記憶されている。メニューＩＤは、調理機器１０において実行される調理の料理名および料理のジャンルの少なくとも何れかに個別のＩＤである。管理サーバ制御部４０は、調理機器１０から受信した調理履歴に基づいて、メニューＩＤを含む調理関連情報を生成し、生成した調理関連情報を調理関連情報送信部４２の機能により、コンテンツサーバ５０に送信する。
【００８３】
図４の（ｃ）に示すように、コンテンツサーバ５０の記憶部５２には、各コンテンツに個別のコンテンツＩＤに関連付けて、各コンテンツのコンテンツカテゴリ、及び名称等の情報が記憶されている。各コンテンツは、メニューＩＤに関連付けて記憶されている。また、各コンテンツは、メニューＩＤに応じた開始タイミングに関する情報を含んでいる。
【００８４】
図５は、ユーザに提供されるコンテンツに関する情報を含むコンテンツテーブルの例を示している。コンテンツサーバ５０のコンテンツサーバ制御部６０は、コンテンツ選択部６２の機能により、調理関連情報を参照して、図４の（ｃ）に示したコンテンツの中から、ユーザに提供するコンテンツを、メニューＩＤに応じて選択する。上述したように、メニューＩＤは、料理名および料理のジャンルの少なくとも何れかに個別のＩＤである。つまり、コンテンツ選択部６２は、調理関連情報に含まれる料理名および料理のジャンルの少なくとも何れかを参照して、あるユーザに対して提供するコンテンツを選択する。
【００８５】
図５に示した例では、コンテンツ選択部６２は、メニューＩＤ「Ｘ−００１」に関連付けられているコンテンツであるコンテンツＩＤ「Ｍ−０１−００００１」、「Ｍ−０２−００００１」、および「Ｍ−０３−００００１」をユーザに提供するコンテンツとして選択している。コンテンツＩＤ「Ｍ−０１−００００１」のコンテンツは、里山暮らしという名称の映像である。コンテンツＩＤ「Ｍ−０２−００００１」のコンテンツは、ダイニングBGM童謡という名称の音楽である。コンテンツＩＤ「Ｍ−０３−００００１」のコンテンツは、照明を色温度２７００ケルビンのあたたかな光に調整する照明調整である。このように、コンテンツ選択部６２によって選択されるコンテンツは、映像、音楽、及び照明の調整（調色）等の複数のコンテンツを含んでいてもよい。
【００８６】
このように、情報処理装置１００は、ユーザ及び１又は複数の他のユーザの少なくとも何れかの調理に関連する情報である調理関連情報を取得し、調理関連情報に含まれる料理名および料理のジャンルの少なくとも何れかを参照して、あるユーザに対して提供するコンテンツを選択する。これにより、情報処理装置１００は、調理機器１０において調理された料理の料理名および料理のジャンルに応じて、ユーザの食事に適したコンテンツを推薦することができる。
【００８７】
〔実施形態３〕
本発明の実施形態３について、以下に説明する。なお、説明の便宜上、上記実施形態１または実施形態２にて説明した部材と同じ機能を有する部材については、同じ符号を付記し、その説明を繰り返さない。なお、実施形態３に係る情報処理システム１の構成については、図１を用いて説明した実施形態１の情報処理システム１と同様であり、その説明を省略する。
【００８８】
図６の（ａ）は、機器管理サーバ３０の記憶部３２に記憶されている、メニューＩＤと、料理の名称と、料理のジャンル、カテゴリー、食材などの情報に関連するキーワードと、が対応付けられているキーワードテーブルの一例を示している。図６の（ｂ）は、コンテンツサーバ５０の記憶部５２に記憶されているコンテンツ５３に関連する情報を含むコンテンツ関連情報テーブルの一例を示している。
【００８９】
図６の（ａ）に示すように、機器管理サーバ３０の記憶部３２には、メニューＩＤに対応付けて、各料理のキーワードが記憶されている。各料理のキーワードには、料理に関連する地域に関する情報である地域情報、および料理に含まれる食材に関する情報である食材情報に基づくワードが含まれている。
・地域情報
・日本、スペイン、中国等の国情報
・東北、広東、欧州、南米等の地方情報
・田舎、故郷、あたたかさ、ほのぼの等のイメージ情報
・食材情報
・レンコン、ニンジン、豚肉などの食材
・サフラン、花椒などのスパイス
なお、機器管理サーバ３０は、調理機器１０から、図４の（ａ）に示した調理履歴を受信するとともに、記憶部３２には、図４の（ｂ）に示したように、メニューＩＤが、操作ＩＤに対応付けて記憶されている。管理サーバ制御部４０は、調理機器１０から受信した調理履歴に含まれる操作ＩＤに基づいて、メニューＩＤを特定し、メニューＩＤに関連付けられて記憶されたキーワードを含む調理関連情報を生成する。管理サーバ制御部４０は、生成した調理関連情報を調理関連情報送信部４２の機能により、コンテンツサーバ５０に送信する。
【００９０】
図６の（ｂ）に示すように、コンテンツサーバ５０の記憶部５２には、各コンテンツに個別のコンテンツＩＤに関連付けて、各コンテンツのコンテンツカテゴリ、及び名称等の情報が記憶されている。各コンテンツは、キーワードに関連付けて記憶されている。また、各コンテンツは、開始タイミングに関する情報を含んでいる。
【００９１】
コンテンツサーバ５０のコンテンツサーバ制御部６０は、コンテンツ選択部６２の機能により、機器管理サーバ３０から受信した調理関連情報を参照して、図６の（ｂ）に示したコンテンツの中から、ユーザに提供するコンテンツを、キーワードに応じて選択する。コンテンツ選択部６２は、調理関連情報に含まれる食材情報を示すキーワードを参照して、あるユーザに対して提供するコンテンツを選択してもよい。また、コンテンツ選択部６２は、調理関連情報に含まれる地域情報を示すキーワードを参照して、あるユーザに対して提供するコンテンツを選択してもよい。
【００９２】
例えば、調理機器１０において調理された料理が筑前煮の場合には、コンテンツ選択部６２は、調理関連情報に含まれる「日本、故郷、田舎」等の地域情報を参照して、「日本」、「故郷」、「田舎」のそれぞれのキーワードに関連付けられているコンテンツであるコンテンツＩＤ「Ｍ−０１−００００１」、コンテンツＩＤ「Ｍ−０２−００００１」、およびコンテンツＩＤ「Ｍ−０３−００００１」をユーザに提供するコンテンツとして選択してもよい。
【００９３】
コンテンツＩＤ「Ｍ−０１−００００１」のコンテンツは、「日本」、「故郷」といったキーワードに関連付けられている、里山暮らしをテーマにした映像である。コンテンツＩＤ「Ｍ−０２−００００１」のコンテンツは、「故郷」、「子供」、「ほのぼの」といったキーワードに関連付けられている童謡（音楽）である。コンテンツＩＤ「Ｍ−０３−００００１」のコンテンツは、「田舎」、「あたたかさ」といったキーワードに関連付けられている、照明をあたたかな光（例えば、色温度２７００ケルビン）とする照明調整である。
【００９４】
このように、コンテンツ選択部６２は、調理関連情報に含まれる食材情報や地域情報を示すキーワードに応じて、映像、音楽、及び照明の調整（調色）等の複数のコンテンツを選択してもよい。また、コンテンツ選択部６２は、調理関連情報に含まれる食材、地域、料理名、料理のジャンルの全て又はその中の複数を参照して、コンテンツを選択してもよい。
【００９５】
上述したように、情報処理装置１００は、ユーザ及び１又は複数の他のユーザの少なくとも何れかの調理に関連する情報である調理関連情報を取得し、調理関連情報に含まれる食材情報、および地域情報等を示すキーワードを参照して、あるユーザに対して提供するコンテンツを選択する。これにより、情報処理装置１００は、調理機器１０において調理された料理に合うような映像やＢＧＭ等のコンテンツを選択するため、ユーザの食事に適したコンテンツを推薦することができる。よって、ユーザの食事の内容に応じて、ユーザの嗜好に適したコンテンツを推薦することができる。
【００９６】
なお、情報処理装置１００がユーザに提供するコンテンツは、映像、音楽、及び照明の調整に限られるものではなく、その他のコンテンツであってもよい。例えば、情報処理装置１００は、調理された料理に関連する国や地域の情報に基づいて、コンテンツを選択するため、その国や地域に対するユーザの興味や関心が高いと想定して、調理された料理に関連する国や地域の文化に関するコンテンツを選択して、ユーザに提供してもよい。特に、情報処理装置１００が、統計的処理を施した調理関連情報を参照して、コンテンツを選択することができる場合には、あるユーザ、またはあるユーザに関連する複数の他のユーザによって、頻繁に調理される料理に関連する国や地域に関するコンテンツを選択して、ユーザに提供してもよい。また、情報処理装置１００は、調理された料理や、それに関連する料理を提供する飲食店を紹介するコンテンツを選択して、ユーザに提供することができてもよい。
【００９７】
また、上述の実施形態では、情報処理装置１００は、調理機器１０から調理履歴を受信して直ぐに、推薦するコンテンツに関する情報をコンテンツ視聴機器７０に送信する構成について説明した。しかしながら、これに限らず、情報処理装置１００は、調理機器１０において、対象の料理が調理されたときから所定の期間、例えば１週間、の後に、調理された料理に関する推薦するコンテンツに関する情報をコンテンツ視聴機器７０に送信してもよい。また、対象の料理が調理されたときから所定の期間の後にコンテンツ視聴機器７０に送信するコンテンツは、調理された料理や、それに関連する料理を調理するための食材を一式をセットにした、調理キットの広告であってもよい。
【００９８】
また、情報処理装置１００は、ユーザの調理履歴の統計から、ユーザの食事と食事との間の時間を推定し、ユーザの食事と食事との間の時間帯に合わせて、推薦するコンテンツに関する情報をコンテンツ視聴機器７０に送信することができてもよい。
【００９９】
〔実施形態４〕
上記各実施形態では、１つの機器管理サーバ３０、及び１つのコンテンツサーバ５０からなる１つの情報処理装置１００を用いる例を説明したが、機器管理サーバ３０、及びコンテンツサーバ５０の有する各機能が、個別のサーバにて実現されていてもよい。そして、複数のサーバを適用する場合においては、各サーバは、同じ事業者によって管理されていてもよいし、異なる事業者によって管理されていてもよい。
【０１００】
〔実施形態５〕
調理機器１０、機器管理サーバ３０、コンテンツサーバ５０、およびコンテンツ視聴機器７０の各ブロックは、集積回路（ＩＣチップ）等に形成された論理回路（ハードウェア）によって実現してもよいし、ソフトウェアによって実現してもよい。後者の場合、調理機器１０、機器管理サーバ３０、コンテンツサーバ５０、およびコンテンツ視聴機器７０のそれぞれを、図７に示すようなコンピュータ（電子計算機）を用いて構成することができる。
【０１０１】
図７は、調理機器１０、機器管理サーバ３０、コンテンツサーバ５０、およびコンテンツ視聴機器７０として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１０２】
補助記憶装置９１４には、コンピュータ９１０を調理機器１０、機器管理サーバ３０、コンテンツサーバ５０、およびコンテンツ視聴機器７０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、調理機器１０、機器管理サーバ３０、コンテンツサーバ５０、およびコンテンツ視聴機器７０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１０３】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１０４】
〔まとめ〕
本発明の態様１に係る情報処理装置（１００）は、通信部（３１、５１）と、制御部（４０、６０）とを備えた情報処理装置（１００）において、上記制御部（４０、６０）は、あるユーザ及び１又は複数の他のユーザの少なくとも何れかの調理に関連する情報である調理関連情報を上記通信部（３１）を介して取得し、取得した上記調理関連情報を参照して、上記あるユーザに対して上記通信部（５１）を介して提供するコンテンツを選択する構成である。
【０１０５】
上記の構成によれば、調理関連情報に基づいてユーザに対して提供するコンテンツを選択するため、食事の内容に応じて、ユーザの嗜好に適したコンテンツを推薦することができる。
【０１０６】
本発明の態様２に係る情報処理装置（１００）は、上記の態様１において、上記制御部（４０、６０）によるコンテンツの選択には、映像の選択、及び音楽の選択の少なくとも何れかが含まれる構成としてもよい。
【０１０７】
上記の構成によれば、食事の内容に応じて、ユーザの嗜好に適した映像、及び音楽の少なくとも何れかを推薦することができる。
【０１０８】
本発明の態様３に係る情報処理装置（１００）は、上記の態様１又は２において、上記制御部（４０、６０）によるコンテンツの選択には、照明の調整が含まれる構成としてもよい。
【０１０９】
上記の構成によれば、食事の内容に応じて、照明の調整を行うことができる。
【０１１０】
本発明の態様４に係る情報処理装置（１００）は、上記の態様１から３において、上記制御部（４０、６０）は、上記調理関連情報に含まれる食材情報を参照して、上記あるユーザに対して提供するコンテンツを選択する構成としてもよい。
【０１１１】
上記の構成によれば、調理した料理に用いられた食材に応じてユーザにコンテンツを推薦することができ、食事の内容に応じたユーザの嗜好に適したコンテンツを推薦することができる。
【０１１２】
本発明の態様５に係る情報処理装置（１００）は、上記の態様１から４において、上記制御部（４０、６０）は、上記調理関連情報に含まれる地域情報を参照して、上記あるユーザに対して提供するコンテンツを選択する構成としてもよい。
【０１１３】
上記の構成によれば、調理した料理に関連する地域情報に応じてユーザにコンテンツを推薦することができ、ユーザの興味、関心が高いと想定される地域に関連するコンテンツをユーザに提供することができる。
【０１１４】
本発明の態様６に係る情報処理装置（１００）は、上記の態様１から５において、上記制御部（４０、６０）は、上記調理関連情報に含まれる料理名および料理のジャンルの少なくとも何れかを参照して、上記あるユーザに対して提供するコンテンツを選択する構成としてもよい。
【０１１５】
上記の構成によれば、料理名および料理のジャンルの少なくとも何れかに応じて、コンテンツを推薦するため、食事の内容に応じたユーザの嗜好に適したコンテンツを推薦することができる。
【０１１６】
本発明の態様７に係る情報処理装置（１００）は、上記の態様１から６において、上記制御部（４０、６０）は、取得した上記調理関連情報に対して統計的処理を施し、上記統計的処理を施した調理関連情報を参照して、上記あるユーザに対して提供するコンテンツを選択する構成としてもよい。
【０１１７】
上記の構成によれば、統計的にユーザの興味や関心が高いと想定されるコンテンツをユーザに推薦するため、ユーザの嗜好に適したコンテンツを推薦することができる。
【０１１８】
本発明の態様８に係る情報処理装置（１００）は、上記の態様１から７において、食材を調理する調理部を更に備えている構成としてもよい。
【０１１９】
上記の構成によれば、情報処理装置（１００）と調理機器（１０）とを一体である構成とすることができる。
【０１２０】
本発明の各態様に係る情報処理装置１００は、コンピュータによって実現してもよく、この場合には、コンピュータを上記情報処理装置１００が備える各部（ソフトウェア要素）として動作させることにより上記情報処理装置１００をコンピュータにて実現させる情報処理装置１００の制御プログラム、およびそれを記録したコンピュータ読み取り可能な記録媒体も、本発明の範疇に入る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２２】
１  情報処理システム
１０  調理機器
１４  調理部
３０  機器管理サーバ
４０  サーバ制御部
４０  管理サーバ制御部
４１  調理履歴受信部
４２  調理関連情報送信部
５０  コンテンツサーバ
６０  コンテンツサーバ制御部
６２  コンテンツ選択部
７０  コンテンツ視聴機器
１００  情報処理装置
【図１】
2020042647.tif 000003
【図２】
2020042647.tif 000004
【図３】
2020042647.tif 000005
【図４】
2020042647.tif 000006
【図５】
2020042647.tif 000007
【図６】
2020042647.tif 000008
【図７】
2020042647.tif 000009